(57)【要約】【課題】  ある程度のレベルのセキュリティを保ちつつ、認証用のパスワードを忘れた場合でも装置を操作できるようにする。【解決手段】  入力された認証情報を用いて認証を行い、その認証が成功した場合に上記入力手段から入力される指示を受け付けてその受け付けた指示に従った制御を行う電子装置において、入力手段から予め定められた解除用情報として自身のＭＡＣアドレスが入力された場合に（Ｓ３２〜Ｓ３４）、上記認証を経ずに上記入力手段から入力される指示を受け付ける状態に移行するようにした（Ｓ３５）。【選択図】        図７
2013250649.tif 000002
【特許請求の範囲】
【請求項１】
ＭＡＣアドレスが設定されたネットワーク通信手段と、入力手段とを備えた電子装置であって、
前記入力手段から入力された認証情報を用いて認証を行う認証手段と、
前記認証手段による認証が成功した場合に前記入力手段から入力される指示を受け付ける受付手段と、
前記受付手段が受け付けた指示に従って当該電子装置を動作させる制御手段と、
前記入力手段から予め定められた解除用情報として前記ＭＡＣアドレスが入力された場合に、前記受付手段を、前記認証手段の認証を経ずに前記入力手段から入力される指示を受け付ける状態に移行させる移行手段とを備えたことを特徴とする電子装置。
【請求項２】
請求項１に記載の電子装置であって、
前記入力手段は、前記ネットワーク通信手段を介したリモートコントローラからの前記認証情報、前記指示及び前記解除用情報の入力を受け付ける手段であることを特徴とする電子装置。
【発明の詳細な説明】
【技術分野】
【０００１】
この発明は、動作の指示を受け付けるに当たって認証を要求する電子装置に関する。
【背景技術】
【０００２】
従来から、幅広い電子装置において、ユーザの利用権限を管理するために、当該電子装置に対して動作の指示を行う操作者に対し、パスワード等による認証を要求するようにすることが行われている。
このような電子装置としては、例えば特許文献１及び２に記載のものが挙げられる。
【先行技術文献】
【特許文献】
【０００３】
【特許文献１】特開２００２−１６９７７９号公報
【特許文献２】特開２００２−１３２７２５号公報
【発明の概要】
【発明が解決しようとする課題】
【０００４】
ところで、設置及び運用に複雑な設定が必要な電子装置の場合、メーカーや販売店とエンドユーザの間に、コントラクターと呼ばれる業者が介在し、装置の設置や導入（エンドユーザの用途に合った設定）を担当することが行われる。
この場合において、コントラクターは、導入時に行った設定がユーザの不注意により変更されて装置の動作に不具合が生じることを防ぐため、コントラクター用のパスワードを設定し、そのパスワードによる認証が成功した場合のみ、重要な設定が変更可能となるような設定を行うことがしばしばある。
【０００５】
しかし、この設定を行ってしまうと、電話で数分会話すれば解決するような内容であっても、パスワードがないと設定変更できない項目に係る操作が必要な場合には、コントラクターがエンドユーザを訪問して設定変更を行う必要がある。このため、コントラクターの負担が大きいという問題があった。
【０００６】
また、エンドユーザの側でも、無関係な第３者に操作されるのを防止するため、あるいは不注意で操作部に触れて意図しない操作を行ってしまうことを防止するため、エンドユーザ用のパスワードを設定し、パスワードによる認証が成功した場合のみ、重要な設定が変更可能となるような設定を行うことがしばしばある。
【０００７】
しかし、個人経営の店舗や小型のホール及び会場など、小規模な施設では、エンドユーザ側に選任のオペレータがいないことも多く、エンドユーザがパスワードを忘れてしまい、操作できなくなってしまうこともある。また、このような場合、コントラクターに問い合わせが行くこととなるが、コントラクター側ではエンドユーザが設定したパスワードは通常把握していないので、コントラクターのパスワードを用いてエンドユーザのパスワードの設定を解除するために、エンドユーザを訪問することになる。この点でもコントラクターの負担が大きいという問題があった。
【０００８】
このような問題を解決するためには、例えば、予めメーカーが固定のルートパスワードを公開し、そのルートパスワードを用いて、対象装置におけるパスワードの設定を解除できるようにすることが考えられる。この場合、ユーザからの設定変更依頼や問い合わせを受けたコントラクターは、エンドユーザにそのルートパスワードを教えてパスワードの設定を解除させれば、電話等による遠隔のコミュニケーションでユーザに以後の操作を指示して実行させることができるケースも多いと考えられる。
【０００９】
しかし、この手法だと、ルートパスワードが設定されている機種の装置を所有している全てのユーザが、同機種の装置に対してパスワードのリセットができてしまうことになり、パスワードが実質的に意味をなさなくなるという問題がある。
この発明は、このような事情に鑑みてなされたものであり、ある程度のレベルのセキュリティを保ちつつ、認証用のパスワードを忘れた場合でも装置を操作できるようにすることを目的とする。
【課題を解決するための手段】
【００１０】
上記の目的を達成するため、この発明の電子装置は、ＭＡＣアドレスが設定されたネットワーク通信手段と、入力手段とを備えた電子装置において、上記入力手段から入力された認証情報を用いて認証を行う認証手段と、上記認証手段による認証が成功した場合に上記入力手段から入力される指示を受け付ける受付手段と、上記受付手段が受け付けた指示に従ってその電子装置を動作させる制御手段と、上記入力手段から予め定められた解除用情報として上記ＭＡＣアドレスが入力された場合に、上記受付手段を、上記認証手段の認証を経ずに上記入力手段から入力される指示を受け付ける状態に移行させる移行手段とを設けたものである。
このような電子装置においては、上記入力手段を、上記ネットワーク通信手段を介したリモートコントローラからの上記認証情報、上記指示及び上記解除用情報の入力を受け付ける手段とするとよい。
【発明の効果】
【００１１】
以上のようなこの発明の制御装置によれば、ある程度のレベルのセキュリティを保ちつつ、認証用のパスワードを忘れた場合でも装置を操作できるようにすることができる。
【図面の簡単な説明】
【００１２】
【図１】この発明の電子装置の一実施形態であり、音響信号処理装置であるデジタルミキサのハードウェア構成を示す図である。
【図２】図１に示したＤＳＰで実行される信号処理の構成をより詳細に示す図である。
【図３】図２に示した入力ｃｈが実行する信号処理の構成をより詳細に示す図である。
【図４】図２に示した出力ｃｈが実行する信号処理の構成をより詳細に示す図である。
【図５】操作部に対する操作を検出した場合にデジタルミキサのＣＰＵが実行する処理のフローチャートである。
【図６】ログイン画面の表示例を示す図である。
【図７】パスワードリセットモードへの移行指示を検出した場合にデジタルミキサのＣＰＵが実行する処理のフローチャートである。
【図８】パスワードリセット画面の表示例を示す図である。
【図９】リモートコントローラを用いてデジタルミキサを操作する構成の例を示す図である。
【発明を実施するための形態】
【００１３】
以下、この発明を実施するための形態を図面に基づいて具体的に説明する。
まず、図１に、この発明の電子装置の一実施形態であり、音響信号処理装置であるデジタルミキサのハードウェア構成を示す。
図１に示す通り、デジタルミキサ１０は、ＣＰＵ１１，フラッシュメモリ１２，ＲＡＭ１３，ネットワークＩ／Ｆ（インタフェース）１４，表示部１５，操作部１６，波形Ｉ／Ｏ１７，信号処理部（ＤＳＰ）１８を備え、これらがシステムバス１９によって接続されている。
【００１４】
そして、ＣＰＵ１１は、このデジタルミキサ１０の動作を統括制御する制御手段であり、フラッシュメモリ１２に記憶された所要のプログラムを実行することにより、ネットワークＩ／Ｆ１４を介する通信、波形Ｉ／Ｏ１７における音響信号の入出力及び表示部１５における表示を制御したり、操作部１６においてなされた操作を検出してその操作に従ってユーザの認証や各部の動作を制御する等の処理を行う。
【００１５】
フラッシュメモリ１２は、ＣＰＵ１１が実行する制御プログラム等を記憶する書き換え可能な不揮発性記憶部である。
ＲＡＭ１３は、一時的に記憶すべきデータを記憶したり、ＣＰＵ１１のワークメモリとして使用したりする記憶部である。
【００１６】
ネットワークＩ／Ｆ１４は、ローカルエリアネットワーク（ＬＡＮ）等のネットワークを介して外部装置と通信を行うためのネットワーク通信手段である。通信に用いる規格は、有線、無線を問わず任意のものでよいが、このネットワークＩ／Ｆ１４には、ＭＡＣ（Media Access Control）アドレスを設定しておく。このＭＡＣアドレスは、変更可能とすることも妨げられないが、重複のないネットワークＩ／Ｆ１４固有のアドレスとすることが好ましい。また、デジタルミキサ１０が他にネットワークＩ／Ｆを備えない場合、このアドレスがデジタルミキサ１０のＭＡＣアドレスであると考えることもできる。
【００１７】
また、デジタルミキサ１０には、外部装置と通信を行うためのインタフェースとして、ネットワークＩ／Ｆ１４以外に、外部のディスプレイ、マウス、文字入力用のキーボード、操作パネル等を接続するためのインタフェースを設けてもよい。そして、本体の表示器や操作子をごく単純な構成にして、これらの外部機器を活用することによりパラメータの設定／変更や動作指示を行うことができるようにすることも考えられる。
【００１８】
表示部１５は、ＣＰＵ１１による制御に従って種々の情報を表示する表示手段であり、例えば液晶パネル（ＬＣＤ）や発光ダイオード（ＬＥＤ）によって構成することができる。
操作部１６は、デジタルミキサ１０に対する操作を受け付けるための入力手段であり、種々のキー、ボタン、ロータリーエンコーダ、スライダ、表示部１５であるＬＣＤに積層したタッチパネル等により構成できる。また、駆動手段を備え、ＣＰＵ１１の制御によりつまみを自動で任意の位置に移動させることができる操作子を備えてもよい。
【００１９】
波形Ｉ／Ｏ１７は、ＤＳＰ１８で処理すべき音響信号の入力を受け付け、また処理後の音響信号を出力するためのインタフェースである。アナログ信号を入力してデジタル信号に変換するアナログ入力部と、デジタル信号を入力するデジタル入力部と、デジタル信号を出力するデジタル出力部と、デジタル信号をアナログ信号に変換して出力するアナログ出力部とを備える。
【００２０】
ＤＳＰ１８は、信号処理回路を含み、波形Ｉ／Ｏ１７から入力する音響信号に対し、カレントデータとして設定されている各種処理パラメータに従って、ミキシング、イコライジング等の各種信号処理を施して波形Ｉ／Ｏ１７に出力する信号処理手段である。この処理に用いるパラメータを含むカレントデータは、ＲＡＭ１３上あるいはＤＳＰ１８自身に備えるメモリ上に設けられたカレントメモリに記憶されており、ユーザは、表示部１５と操作部１６とを用いて、そのデータの値を確認したり、変更したりすることができる。
【００２１】
次に、図２に、図１に示したＤＳＰ１８で実行される信号処理の構成をより詳細に示す。
この図に示すように、ＤＳＰ１８での信号処理は、入力パッチ１０１、入力ｃｈ（チャンネル）１０２、ミキシングバス１０３、キューバス１０４、出力ｃｈ１０５、キュー／モニタ出力ｃｈ１０６、出力パッチ１０７を備える。
【００２２】
そして、ＤＳＰ１８においては、入力パッチ１０１により、１番目（１０２−１）からＮ番目（１０２−Ｎ）までＮｃｈある入力ｃｈ１０２にそれぞれ、波形Ｉ／Ｏ１７の入力端子と対応するように用意された入力ポートのいずれかをパッチ（結線）することができる。
【００２３】
各入力ｃｈ１０２では、そのパッチされた入力ポートから入力する信号に対して、図３に示すように、アッテネータ１１１、ヘッドアンプ１１２、ハイパスフィルタ１１３、イコライザ１１４、ゲート１１５、コンプレッサ１１６、ディレイ１１７、レベル調整１１８、パン１１９により信号処理を行った後、１番目からＭ番目までＭ系統あるミキシングバス１０３のうち任意のバス及び、ＬとＲのキューバス１０４に対して、処理後の信号を送出する。なお、レベル調整１１８については、出力先バス毎にオンオフ及びレベル調整を行うことが可能である。パン１１９については、ステレオの出力先バスについて、ＬとＲの組毎に音像定位位置の調整を行うことができる。
【００２４】
また、各系統のミキシングバス１０３では、各入力ｃｈ１０２から入力する信号をミキシングし、ミキシング後の信号を、各系統と対応して１番目（１０５−１）からＭ番目（１０５−Ｍ）までＭｃｈ設けられた出力ｃｈ１０５にそれぞれ出力する。
そして、各出力ｃｈ１０５では、対応するミキシングバスから入力する信号に対して、図４に示すように、イコライザ１２１、コンプレッサ１２２、レベル調整１２３，バランス調整１２４、ディレイ１２５、アッテネータ１２６により信号処理を行う。
そして、出力パッチ１０７により、各出力ｃｈ１０５を、波形Ｉ／Ｏ１７に出力端子と対応するように用意された出力ポートにパッチし、出力ｃｈ１０５による処理後の信号をパッチ先の出力ポートに供給してそこから出力させる。
【００２５】
また、キューバス１０４においても、同様に各入力ｃｈ１０２から入力する信号をミキシングし、ミキシング後の信号を、キュー／モニタ出力ｃｈ１０６に出力する。そして、出力パッチ１０７により、キュー／モニタ出力ｃｈ１０６をモニタ出力用の出力ポートにパッチし、キュー／モニタ出力ｃｈ１０６に供給された信号をその出力ポートから出力させる。キュー／モニタ出力ｃｈ１０６においては、特段の信号処理は行わない。
なお、ＤＳＰ１８に設けるこれらの各部による信号処理は、カレントメモリに記憶される所定のパラメータの値を設定することにより制御可能である。また、各部の機能は、ソフトウェアによって実現してもハードウェアによって実現してもよい。
【００２６】
デジタルミキサ１０において、以上の信号処理のパラメータは、パスワード等の認証情報を用いて認証したユーザにのみ操作を許可するようにしている。一方で、ユーザがパスワードを忘れた場合等に対応するため、上記認証情報による認証を経なくても信号処理のパラメータの操作をすることができる機能も用意している。この点が、この実施形態において特徴的な点の１つである。以下、これらの機能を実現するための処理について説明する。
【００２７】
まず、図５に、デジタルミキサ１０の操作部１６に対する操作を検出した場合の処理のフローチャートを示す。
デジタルミキサ１０のＣＰＵ１１は、操作部１６に対する操作を検出した場合に、図５のフローチャートに示す処理を開始する。
【００２８】
そしてまず、デジタルミキサ１０がログイン済み状態であるか否か判断する（Ｓ１１）。ログイン済みとは、既に認証情報（この例ではパスワード）を用いた認証が成功しており、検出した操作による、パラメータの値の変更や参照など認証により保護されている動作の指示を、有効なものとして受け付けてよいことがわかっている状態をいう。逆に、ログイン済みでない場合、その動作の指示を有効なものとして受け付けてよいとはいえない（従って受け付けない）ことになる。
【００２９】
ここでは、ステップＳ１１の判断結果は、以下に説明するようにログイン済み状態へ移行した後、ユーザの指示に従って所定のログアウト処理（不図示）がなされるまでの間はＹＥＳとなり、それ以外（初期状態も含む）ではＮＯになるとする。
以上のステップＳ１１でＮＯの場合、パスワード認証を行うか否か判断する（Ｓ１２）。認証を行うか否かはユーザ（エンドユーザでもコントラクターでもよい、以下特に断らない限り同じ）が設定し、その情報はフラッシュメモリ１２に記憶させておく。また、認証用パスワードが設定されていない場合も、認証を行わないと判断するようにする。
【００３０】
そして、ステップＳ１２でＹＥＳの場合、パスワードの入力を受け付けてユーザの認証を行うべく、図６に示すログイン画面２００を表示部１５のディスプレイに表示させる（Ｓ１３）。
このログイン画面２００は、パスワード入力部２０１、ＯＫボタン２０２及びキャンセルボタン２０３を備える。そして、パスワード入力部２０１においてパスワードの入力を受け付け、ＯＫボタン２０２の押下によりその入力を確定し、キャンセルボタン２０３の押下により認証の実行をキャンセルすることができる。
【００３１】
そして、ＣＰＵ１１は、パスワードの入力が確定されたと判断すると（Ｓ１４のＹＥＳ）、登録済みの認証用パスワードを取得し（Ｓ１５）、入力されたパスワードと比較する。この認証用パスワードは、ユーザが予め定めてフラッシュメモリ１２に登録しておく。複数登録しておくことも可能である。
そして、入力されたパスワードがステップＳ１４で取得したパスワード（のいずれか）と一致すると（Ｓ１６のＹＥＳ）、ＣＰＵ１１は、認証が成功したものとしてデジタルミキサ１０をログイン済み状態に移行させる（Ｓ１８）。その後、ログイン画面を消去して（Ｓ１９）処理を終了する。
【００３２】
この場合、次に操作を検出して図５の処理を開始すると、ステップＳ１１でＹＥＳとなる。従って、検出した操作によるパラメータの値の変更や参照などの動作指示を有効なものとして受け付け、その指示に従ってパラメータの値の変更や画面の切り替え等の処理を実行する（Ｓ２０）。
【００３３】
また、ステップＳ１６でＮＯの場合、ステップＳ１４に戻って再度パスワードの入力を受け付ける。このとき、認証失敗の旨をユーザに通知してもよい。
また、ステップＳ１４でＮＯの場合、ステップＳ１７に進み、ＯＫボタン２０２又はキャンセルボタン２０３が押下されるまで処理を繰り返す。そして、キャンセルボタン２０３が押下された場合（Ｓ１７のＹＥＳ）、ログイン画面２００を消去して（Ｓ１９）、処理を終了する。
【００３４】
この場合、ログイン済み状態へは移行していないので、次に操作を検出して図５の処理を開始した場合も、ステップＳ１１でＮＯとなり、ステップＳ１２でＹＥＳならログイン画面を表示させることになる。
ステップＳ１２でＮＯの場合、ステップＳ１１でＹＥＳの場合と同様、ステップＳ２０に進んで受け付けた指示に従った処理を実行する。この場合、ログインの有無に関係なく、すなわち認証を経ずにステップＳ２０に進むことになる。
【００３５】
以上の処理において、ＣＰＵ１１は、ステップＳ１５及びＳ１６では認証手段として機能し、ステップＳ２０では受付手段及び制御手段として機能する。
そして、以上の処理により、操作部１６から入力される認証情報を用いた認証が成功した場合に、操作部１６から入力される指示に従ってデジタルミキサ１０を動作させることができる。すなわち、パラメータの値の変更や参照を行うことができる。
なお、デジタルミキサ１０は、既に設定されているパラメータに従って信号処理を実行する動作については、電源を投入して適当な入力端子から音響信号を入力すれば、操作部から何ら操作を行わなくても実行可能である。マスタボリュームの調整など、一部の操作についても、以上の認証による保護の対象外としてもよい。
【００３６】
次に、図７に、パスワードリセットモードへの移行指示を検出した場合の処理のフローチャートを示す。
デジタルミキサ１０のＣＰＵ１１は、パスワードリセットモードへの移行指示を検出すると、図７のフローチャートに示す処理を開始する。この移行指示は、リセットボタン等の、操作部１６以外の特殊な操作子により受け付けたり、操作部１６の操作子が特殊な順番あるいは組み合わせ等で操作された場合にこれを移行指示として受け付け、図５の処理の代わりに図７の処理を行うようにしたりすることが考えられる。
【００３７】
図７の処理において、ＣＰＵ１１はまず、解除情報の入力を受け付けるべく、図８に示すパスワードリセット画面２１０を表示部１５のディスプレイに表示させる（Ｓ３１）。
このパスワードリセット画面２１０は、解除情報入力部２１１、ＯＫボタン２１２及びキャンセルボタン２１３を備える。そして、解除情報入力部２１１において解除情報の入力を受け付け、ＯＫボタン２１２の押下によりその入力を確定し、キャンセルボタン２１３の押下により認証の実行をキャンセルすることができる。
そして、ＣＰＵ１１は、解除情報の入力が確定されたと判断すると（Ｓ３２のＹＥＳ）、ネットワークＩ／Ｆ１４のＭＡＣアドレスを取得し（Ｓ３３）、入力された解除情報と比較する。
【００３８】
そして、入力された解除情報がステップＳ３３で取得したＭＡＣアドレスと一致すると（Ｓ３４のＹＥＳ）、ＣＰＵ１１は、正しい解除情報が入力されたものとして、設定されている認証用パスワードをリセットする（認証用パスワードがセットされていない状態に戻す）と共にその旨をユーザに通知する（Ｓ３５）。このとき、実際にリセットを行う前に、本当にリセットしてよいか、ユーザに確認するようにしてもよい。その後、パスワードリセット画面２１０を消去して（Ｓ３６）、処理を終了する。
以上の処理によりパスワードがリセットされると、デジタルミキサ１０は、パスワードによる認証を行わない状態（図５のステップＳ１２でＮＯになる）となり、以後は、パスワードを入力しなくても、パラメータの値の変更や参照を行うことができる。
【００３９】
また、ステップＳ３４でＮＯの場合、ステップＳ３２に戻って再度解除情報の入力を受け付ける。このとき、入力された解除情報が不適正である旨をユーザに通知してもよい。
また、ステップＳ３２でＮＯの場合、ステップＳ３７に進み、ＯＫボタン２１２又はキャンセルボタン２１３が押下されるまで待機する。そして、キャンセルボタン２１３が押下された場合（Ｓ３７のＹＥＳ）、パスワードリセット画面２１０を消去して（Ｓ３６）、処理を終了する。
この場合、デジタルミキサ１０の状態に特に変更はない。以後実行する図５の処理にも影響はない。
【００４０】
以上の処理において、ＣＰＵ１１は、ステップＳ３３乃至Ｓ３５で移行手段として機能する。
そして、以上の処理により、操作部１６から適切な解除情報が入力された場合に、デジタルミキサ１０を、パスワード認証を経ずにパラメータの値の変更や参照が可能な状態へ移行させることができる。従って、ユーザがパスワードを忘れた場合でも、パラメータの値の変更や参照を可能とすることができる。
【００４１】
なお、ここでは解除情報としてネットワークＩ／Ｆ１４のＭＡＣアドレスを用いているが、このＭＡＣアドレスは、通信の設定等に用いるため、デジタルミキサ１０の筐体の天板や背面等に、ユーザから見えるように表示されることがしばしば行われる。従って、ユーザは、その表示を見て正しい解除情報を入力することができる。また、ユーザ自身がこの解除情報の入力法を知らなくても、外部からの電話や電子メール等の遠隔サポートにより、容易に入力法を教示可能である。
従って、パスワードを忘れたエンドユーザがデジタルミキサ１０の詳細な操作方法を理解していない場合でも、大きな労力をかけることなく、デジタルミキサ１０のパラメータを操作可能な状態とすることができる。
【００４２】
なお、図７の処理を採用すると、無関係の第３者であっても、この機能があることさえ知っていれば容易に解除情報を入力してパスワードをリセットできてしまうと考えることもできる。しかし、ＭＡＣアドレスは装置１台１台について異なる上、装置の通常の使用状態では見づらい位置に表示されることが多い。従って、無関係な第３者がこの解除情報を入力しようとしても、装置を移動させたり、不自然な姿勢を取ったりしてＭＡＣアドレスの表示を盗み見る必要があるため、解除情報を知ることは必ずしも容易ではない。
【００４３】
一方、デジタルミキサ１０において、認証を用いて保護しているのは、パラメータの設定や表示であり、外部に漏れたり不正に操作されたりしても致命的な損害を受けるようなものではない。
従って、パスワードによる認証をこの程度の操作で解除できるようにしても、大きな問題は生じない。本願発明の適用範囲をこれに限るものではないが、パスワード認証を設けることにより、不注意や装置をよく理解しないユーザによる意図しないパラメータの操作を防止しつつ、パスワードを忘れた場合でも操作したい場合には外部者の臨場を仰がなくても操作が可能というバランスは、少なくともデジタルミキサ１０のような音響信号処理装置においては好適なものであるということができる。
【００４４】
なお、解除情報としては、ＭＡＣアドレス以外にも、デジタルミキサ１０のシリアル番号やＩＰ（Internet Protocol）アドレスを用いることも考えられるかに思える。しかし、シリアル番号は、通常、デジタルミキサ１０の製造中に付されるものではなく、装置が完成し、最終検査をパスした後で付されるものである。従って、その後で図７の処理において読み出せるようにフラッシュメモリ１２等に書き込むとすると、最終検査後の装置にさらに手を加えることになってしまい、製造管理上好ましくない。
【００４５】
また、ＩＰアドレスは、ユーザが任意に設定したり、ＤＨＣＰ（Dynamic Host Configuration Protocol）を利用して自動的に割り当てたりするものである。従って、解除情報を入力しようとした時点の値をユーザが容易に把握できるとは限らないという問題がある。
ＭＡＣアドレスであれば、ネットワークＩ／Ｆ１４が部品として製造された時点で重複のない値が割り当てられているため、これらのような問題は発生しない。従って、解除情報として用いるに好適であると言える。また、解除情報の設定及び筐体上への表示のために製造時に余計な工程が追加されることもない。
【００４６】
なお、製造時に追加の工程は発生するものの、解除情報としてＭＡＣアドレス以外のユニークな情報を用い、これを予めフラッシュメモリに記憶させておくと共に、その情報を電子装置の筐体に表示したり、マニュアル等の付属品と共にユーザに提供したり、装置に表示されているシリアル番号等の識別情報と引き替えにその装置と対応する情報をサポート窓口等でユーザに知らせたりすることも、考えられる。
【００４７】
以上で実施形態の説明を終了するが、装置の構成、具体的な処理内容、画面の表示内容、操作方法等が上述の実施形態で説明したものに限られないことはもちろんである。
例えば、上述の実施形態においては、適切な解除情報が入力された場合に設定されている認証用パスワードをリセットするようにしたが、認証用パスワードをそのままとしつつ、ログイン状態に移行するようにしてもよい。このようにしても、ログアウトするまでは、パスワードを用いた認証を経ずに、認証で保護された動作を実行可能である。従って、ログアウトするまでに認証用パスワードを変更すれば、以後はその新しいパスワードを用いてログインすることができる。
【００４８】
また、認証用パスワードに、管理者用、一般ユーザ用等のランクを設け、図５の処理において入力されたパスワードに応じて、実行を許可する機能の範囲を変えるようにしてもよい。この場合において、適切な解除情報が入力された場合に、全てのパスワードをリセットするようにしてもよいが、一般ユーザ用等の、実行を許可する機能の範囲が狭いパスワードのみリセットするようにしてもよい。このようにすれば、重要度の高い機能については保護を確保しつつ、認証用のパスワードを忘れた場合でもある程度の操作は可能であるという効果を得ることができる。もちろん、適切な解除情報が入力された場合に、一般ユーザ等の権限を持った状態でログイン状態に移行するようにしてもよい。このとき、少なくとも一般ユーザのパスワードを変更する権限は有するようにするとよい。
【００４９】
また、上述した実施形態では、ユーザがデジタルミキサ１０を直接操作する例について説明したが、リモートコントローラを介して操作する構成とすることも考えられる。
図９にこの例を示す。
図９の例では、デジタルミキサ１０と、リモートコントローラとして機能する携帯端末３２とが、アクセスポイント３１を介して無線ＬＡＮにより接続されている。また、この無線ＬＡＮには、他にＰＣ（パーソナルコンピュータ）３３等の機器を任意に接続可能である。
【００５０】
この構成において、携帯端末３２は、ＧＵＩあるいはハードウェア操作子により受け付けた操作内容を示すデータあるいはその操作に基づくパラメータ値変更等の動作の要求を、無線ＬＡＮを介してデジタルミキサ１０に送信する。デジタルミキサ１０においては、ネットワークＩ／Ｆ１４がそのデータを受信してＣＰＵ１１に渡す。ＣＰＵ１１がその渡されたデータが示す操作内容や要求内容に応じてパラメータの編集等の動作を行う。また必要に応じて、動作の結果を示す画面や、次に表示する画面のデータを携帯端末３２に送信する。
この場合、ネットワークＩ／Ｆ１４が入力手段として機能する。
【００５１】
もちろん、操作部１６からの操作の場合と同様、ログイン状態でない状態でＣＰＵ１１が携帯端末３２からデータを受信した場合に、図５の処理により認証を行うことも可能である。認証を行う場合、携帯端末３２のＭＡＣアドレスやその他の識別情報により携帯端末３２を識別し、ログイン時にパスワードを入力した（送信してきた）携帯端末３２からの操作のみ、有効な指示として受け付けるようにしてもよい。
そして、図７の処理により、携帯端末３２からの解除情報の入力に応じてパスワードをリセットすることも可能である。
また、ここでは無線ＬＡＮを用いた通信について説明したが、有線ＬＡＮや、赤外線等を用いた直接通信により通信を行ってもよいことは、もちろんである。
【００５２】
また、この発明は、デジタルミキサに限られず、電子楽器、シンセサイザ、音源装置、アンプ装置、レコーダ、エフェクタ等、任意の音響信号処理装置に適用可能であることはもちろん、それ以外でも、認証情報を用いた認証を行う任意の電子装置に適用可能である。
また、認証情報としても、手入力のパスワードだけでなく、指紋や静脈パターン等の身体情報や、ＩＣカード等から自動的に送信する電子データ、コードリーダに読み取らせるコード記号等、任意の情報を用いることができる。
また、以上述べてきた構成及び変形例は、矛盾しない範囲で適宜組み合わせて適用することも可能である。
【産業上の利用可能性】
【００５３】
以上の説明から明らかなように、この発明の電子装置によれば、ある程度のレベルのセキュリティを保ちつつ、認証用のパスワードを忘れた場合でも装置を操作できるようにすることができる。
従って、この発明を適用することにより、電子装置の操作性を向上させることができる。
【符号の説明】
【００５４】
１０…デジタルミキサ、１１…ＣＰＵ、１２…フラッシュメモリ、１３…ＲＡＭ、１４…ネットワークＩ／Ｆ、１５…表示部、１６…操作部、１７…波形Ｉ／Ｏ、１８…ＤＳＰ、１９…システムバス、３１…アクセスポイント、３２…携帯端末、３３…ＰＣ、１０１…入力パッチ、１０２…入力ｃｈ、１０３…ミキシングバス、１０４…キューバス、１０５…出力ｃｈ、１０６…キュー／モニタ出力ｃｈ、１０７…出力パッチ、２００…ログイン画面、２０１…パスワード入力部、２０２，２１２…ＯＫボタン、２０３，２１３…キャンセルボタン、２１０…パスワードリセット画面、２１１…解除情報入力部
【図１】
2013250649.tif 000003
【図２】
2013250649.tif 000004
【図３】
2013250649.tif 000005
【図４】
2013250649.tif 000006
【図５】
2013250649.tif 000007
【図６】
2013250649.tif 000008
【図７】
2013250649.tif 000009
【図８】
2013250649.tif 000010
【図９】
2013250649.tif 000011